(57)【要約】【課題】寝たきりの状態や車椅子に座った状態にあるお年寄りや障害者に対して、ペニスを差し込んで使用する袋状の吸収体製品を、液漏れなく安全確実に装着し、容易に交換できるようにすること。【解決手段】装着ユニット２７は、着用者のぺニスＰが貫通するように取り付けられる挿入孔２１を備えた装着具２０と、装着具２０に連結されて装着具を着用者の下腹部に取り付ける腰帯２８及び股下に回されて装着具に結合される固定帯２９からなる装着帯２５とを有する。吸収体製品１の挿入部にペニスを挿入し、挿入部を装着具の挿入孔の近傍の結合部２４に固定すれば、吸収体製品を安定して着用者に装着でき、交換も容易である。【選択図】図９
2007098022.tif 000002
【特許請求の範囲】
【請求項１】
体液の吸収体を有する袋体にペニスを挿入する挿入部が設けられた吸収体製品を着用者に装着するために用いられる装着具において、
前記着用者に対して着脱可能に取り付けるために前記着用者のぺニスが貫通する挿入孔と、前記吸収体製品の前記挿入部が着脱可能に取り付けられる結合部とを備えた基体を有することを特徴とする装着具。
【請求項２】
前記基体は環状であり、前記結合部は、前記基体の前記挿入孔と前記吸収体製品の前記挿入部とを連通させるように前記挿入孔の近傍に設けられた結合手段としての面ファスナーと係止構造の少なくともいずれか一方であることを特徴とする請求項１記載の装着具。
【請求項３】
前記基体には、前記挿入孔に挿入された前記着用者のぺニスの外周面に密着する可撓性を備えた周状のシール片が設けられたことを特徴とする請求項２記載の装着具。
【請求項４】
前記結合手段としての面ファスナーは、前記吸収体製品の前記袋体の内側に貼着することにより前記基体を前記挿入部に挿入した状態に保持し、
前記結合手段としての係止構造は、前記吸収体製品の前記挿入部が係止することにより前記基体を前記挿入部に挿入した状態に保持することを特徴とする請求項２記載の装着具。
【請求項５】
前記基体には、前記挿入孔の周縁に前記着用者の身体に接触するシール部が設けられていることを特徴とする請求項２記載の装着具。
【請求項６】
体液の吸収体を有する袋体にペニスを挿入する挿入部が設けられた吸収体製品を着用者に装着するために用いられる装着ユニットにおいて、
前記着用者に対して着脱可能に取り付けるために前記着用者のぺニスが貫通する挿入孔と、前記吸収体製品の前記挿入部が着脱可能に取り付けられる結合部とを備えた基体を有する装着具と、
前記装着具に端部が結合されて前記装着具を装着する前記着用者の下半身に巻装され、前記着用者が装着した前記装着具を保持する装着帯と、
を有することを特徴とする装着ユニット。
【請求項７】
前記装着具には、前記基体と一体に設けられて外方に延設されたウイングが設けられており、前記装着帯の端部は前記ウイングに設けられた連結部において前記装着具に連結されていることを特徴とする請求項６記載の装着ユニット。
【請求項８】
前記ウイングは、少なくとも左右一対で設けられており、左右一対で設けられた前記ウイングは前記着用者の鼠蹊部と干渉しないように各々水平方向よりも上方に傾斜して配置されていることを特徴とする請求項７記載の装着ユニット。
【請求項９】
前記ウイングに孔部が形成されていることを特徴とする請求項７記載の装着ユニット。
【請求項１０】
前記ウイングには、前記着用者の身体に接触する裏面に前記着用者の肌の蒸れを防止するための凹凸が設けられていることを特徴とする請求項７記載の装着ユニット。
【請求項１１】
前記装着帯は、前記着用者の腰に巻装するとともに、その両端が前記装着具の前記ウイングに前記連結部を介して連結されている腰帯であることを特徴とする請求項７記載の装着ユニット。
【請求項１２】
前記装着帯は、前記着用者の腰に巻装される腰帯と、前記腰帯に一端が結合されて他端が前記装着具の前記ウイングに前記連結部を介して連結される固定帯であることを特徴とする請求項７記載の装着ユニット。
【請求項１３】
体液の吸収体を有する袋体に着用者のペニスを挿入する挿入部が設けられた吸収体製品と、
前記着用者に対して着脱可能に取り付けるために前記着用者のぺニスが貫通する挿入孔と、前記吸収体製品の前記挿入部が着脱可能に取り付けられる結合部とを備えた基体を有する装着具と、
前記装着具に端部が結合されて前記装着具を装着する前記着用者の下半身に巻装され、前記着用者が装着した前記装着具を保持する装着帯と、
を有することを特徴とする男性用体液処理用品。
【発明の詳細な説明】
【技術分野】
【０００１】
本発明は、吸収体が設けられた袋体内にペニスを挿入して使用する男性用の吸収体製品を着用する際に有用な装着具及び装着ユニット、ならびに前記吸収体製品と前記装着ユニットの結合からなる男性用体液処理用品に関するものである。
本発明によれば、着用者の体位が様々に変わっても、前記吸収体製品の着用が簡単かつ確実であるとともに好適な装着状態を維持でき、しかも吸収体製品の交換も簡単であるために寝たきりの人や車椅子利用者にも容易に適用することができる。
【背景技術】
【０００２】
従来の吸収体物品、例えばおむつ、大人用おむつ、女性用生理用品、女性用失禁用品等は、ナプキン形状であれ、テープ型形状であれ、あるいはパンツ型形状を持つものであれ、共通している構造は、液透過性トップシートと、液不透過性のバックシートとの間に、ＳＡＰとパルプを混合した吸収体を介在させるという基本構造を持っている。
【０００３】
これらの吸収体製品のうち、男性用体液処理用品は、男性である着用者の体液排出はペニスを通じてを行うことが前提となるので、かかる人体の構造上の特徴に適した構造を有していることが必要とされる。このような男性用体液処理用品としては、下記特許文献１、２に示すように、吸収体を備えた袋部にペニス挿入口が形成された吸収体物品が知られている。
【特許文献１】特開平１１−１７２５０２号公報
【特許文献２】特開２００４−６５８５７号公報
【発明の開示】
【発明が解決しようとする課題】
【０００４】
前述した従来の男性用体液処理用品は、立って歩き回るだけの健康状態にある人が自分で装着して使用することを前提としたものであって、袋部の挿入口からペニスを挿入し、下着の前身頃内で適正な位置に配置してやるだけで直ちに使用に供することができるので、特に男性用体液処理用品を身体に確実に固定するための治具等は必要としなかった。しかしながら、これを寝たきりの状態や車椅子に座った状態にあるお年寄りや障害者に用いようとすると、液漏れしない安全確実な装着が困難になり、また頻繁な交換が介助者の負担になるという問題があった。
【０００５】
本発明は、上述した課題を解決するためになされたものであり、寝たきりの状態や車椅子に座った状態にあるお年寄りや障害者に対して、ペニスを差し込んで使用する袋状の吸収体製品を、寝たきりの状態や車椅子に座った状態のままで液漏れなく安全確実に装着し、また容易に交換することができるようにすることを目的としている。
【課題を解決するための手段】
【０００６】
請求項１に記載された装着具は、体液の吸収体を有する袋体にペニスを挿入する挿入部が設けられた吸収体製品を着用者に装着するために用いられる装着具において、
前記着用者に対して着脱可能に取り付けるために前記着用者のぺニスが貫通する挿入孔と、前記吸収体製品の前記挿入部が着脱可能に取り付けられる結合部とを備えた基体を有することを特徴としている。
【０００７】
請求項２に記載された装着具は、請求項１記載の装着具において、
前記基体は環状であり、前記結合部は、前記基体の前記挿入孔と前記吸収体製品の前記挿入部とを連通させるように前記挿入孔の近傍に設けられた結合手段としての面ファスナーと係止構造の少なくともいずれか一方であることを特徴としている。
【０００８】
請求項３に記載された装着具は、請求項２記載の装着具において、前記基体には、前記挿入孔に挿入された前記着用者のぺニスの外周面に密着する可撓性を備えた周状のシール片が設けられたことを特徴としている。
【０００９】
請求項４に記載された装着具は、請求項２記載の装着具において、
前記結合手段としての面ファスナーは、前記吸収体製品の前記袋体の内側に貼着することにより前記基体を前記挿入部に挿入した状態に保持し、
前記結合手段としての係止構造は、前記吸収体製品の前記挿入部が係止することにより前記基体を前記挿入部に挿入した状態に保持することを特徴としている。
なお、基体側に係止構造を設ける場合は、吸収体製品の挿入部に結束用の紐体等を設け、係止構造に袋体の挿入部を引っ掛けて引き縛ることで袋体を装着具に結合してもよいし、又は挿入部の周囲に弾性体を設け、弾性体を引き伸ばして基体を挿入部を引っ掛け、弾性体を縮退させることにより袋体を装着具に結合してもよい。
【００１０】
請求項５に記載された装着具は、請求項２記載の装着具において、前記基体には、前記挿入孔の周縁に前記着用者の身体に接触するシール部が設けられていることを特徴としている。
【００１１】
請求項６に記載された装着ユニットは、
体液の吸収体を有する袋体にペニスを挿入する挿入部が設けられた吸収体製品を着用者に装着するために用いられる装着ユニットにおいて、
前記着用者に対して着脱可能に取り付けるために前記着用者のぺニスが貫通する挿入孔と、前記吸収体製品の前記挿入部が着脱可能に取り付けられる結合部とを備えた基体を有する装着具と、
前記装着具に端部が結合されて前記装着具を装着する前記着用者の下半身に巻装され、前記着用者が装着した前記装着具を保持する装着帯と、
を有することを特徴としている。
【００１２】
請求項７に記載された装着ユニットは、請求項６記載の装着ユニットにおいて、
前記装着具には、前記基体と一体に設けられて外方に延設されたウイングが設けられており、前記装着帯の端部は前記ウイングに設けられた連結部において前記装着具に連結されていることを特徴としている。
【００１３】
請求項８に記載された装着ユニットは、請求項７記載の装着ユニットにおいて、
前記ウイングは、少なくとも左右一対で設けられており、左右一対で設けられた前記ウイングは前記着用者の鼠蹊部と干渉しないように各々水平方向よりも上方に傾斜して配置されていることを特徴としている。
【００１４】
請求項９に記載された装着ユニットは、請求項７記載の装着ユニットにおいて、
前記ウイングには孔部が形成されていることを特徴としている。
【００１５】
請求項１０に記載された装着ユニットは、請求項７記載の装着ユニットにおいて、
前記ウイングには、前記着用者の身体に接触する裏面に前記着用者の肌の蒸れを防止するための凹凸が設けられていることを特徴としている。
【００１６】
請求項１１に記載された装着ユニットは、請求項７記載の装着ユニットにおいて、
前記装着帯は、前記着用者の腰に巻装するとともに、その両端が前記装着具の前記ウイングに前記連結部を介して連結されている腰帯であることを特徴としている。
【００１７】
請求項１２に記載された装着ユニットは、請求項７記載の装着ユニットにおいて、
前記装着帯は、前記着用者の腰に巻装される腰帯と、前記腰帯に一端が結合されて他端が前記装着具の前記ウイングに前記連結部を介して連結される固定帯であることを特徴としている。
【００１８】
請求項１３に記載された男性用体液処理用品は、
体液の吸収体を有する袋体に着用者のペニスを挿入する挿入部が設けられた吸収体製品と、
前記着用者に対して着脱可能に取り付けるために前記着用者のぺニスが貫通する挿入孔と、前記吸収体製品の前記挿入部が着脱可能に取り付けられる結合部とを備えた基体を有する装着具と、
前記装着具に端部が結合されて前記装着具を装着する前記着用者の下半身に巻装され、前記着用者が装着した前記装着具を保持する装着帯と、
を有することを特徴としている。
【発明の効果】
【００１９】
請求項１に記載された本発明に係る装着具によれば、着用者の身体（ペニス）に基体を確実に取り付けることができるので、吸収体製品の挿入部からペニスを挿入して該挿入部を基体の結合部に結合すれば、吸収体製品の着用者の身体に対する取付けが確実に行え、使用中の脱落やずれが生じにくいので液漏れをうまく防止できる。また、着用者が寝たきりの状態や車椅子に座った状態であっても、吸収体製品の着脱は着用者の身体自体に対して直接行うのではなく、身体に取付けた基体に対して行うので、作業がしやすく、取付け状態も確実で安定している。
【００２０】
請求項２に記載された装着具によれば、環状の基体はぺニスに対する装着が確実で外れにくく、挿入孔の近傍に設けられた結合手段（面ファスナー又は係止構造の少なくともいずれか一方）によって吸収体製品と挿入部を漏れなく連通させることができる。
【００２１】
請求項３に記載された装着具によれば、基体の挿入孔の内部に設けられたシール片が挿入したぺニスの外周面に接触して漏れ防止の弁として機能するので、液漏れの危険性がさらに低くなる。
【００２２】
請求項４に記載された装着具によれば、基体と吸収体製品は、基体側に設けられた面ファスナー又は係止構造（又はその両方）により確実に結合されるので、一旦装着した吸収体製品は脱落しにくく、液漏れしにくい。
【００２３】
請求項５に記載された装着具によれば、基体の挿入孔の周縁に設けたシール部が、装着時には着用者の身体に当接・接触するので、挿入口に挿入されたぺニスの根本を全周にわたってシールし、液漏れを防止する。
【００２４】
請求項６に記載された本発明に係る装着ユニットによれば、着用者の身体（ペニス）に装着具の基体を確実に取り付け、さらにこの装着具を装着帯によって着用者の腰廻りに確実に保持させることができるので、吸収体製品の挿入部からペニスを挿入して該挿入部を基体の結合部に結合すれば、吸収体製品の着用者の身体に対する取付けが一層確実に行え、使用中の脱落や液漏れは一層生じにくい。また、着用者が寝たきりの状態であっても、吸収体製品の着脱は着用者の身体自体に対して直接行うのではなく、身体に取付けて装着帯で保持された装着具の基体に対して行うので、作業がしやすく、取付け状態も確実で安定している。また、着用者が寝たきりの状態であっても、装着帯を腰に巻装する操作が容易に行えるように構成することもできる。
【００２５】
請求項７に記載された装着ユニットによれば、装着具に設けられたウイングの連結部に装着帯が連結されており、装着帯と装着具を連結させる操作が容易であり、装着帯による装着具の保持も安定する。
【００２６】
請求項８に記載された装着ユニットによれば、左右一対のウイングが各々水平方向よりも上方に傾斜して配置されているので、ウイングが前記着用者の鼠蹊部と干渉せず、着用者の着用感が向上し、使用時の装着のずれ・液漏れも防止される。
【００２７】
請求項９に記載された装着ユニットによれば、ウイングに孔部が形成されているので、着用者の肌の蒸れが防止され、又は孔部が設けられたウイングの位置によっては着用者の睾丸を逃がして着用時に睾丸に無用な圧力が加わらないようにできるので、装着感が一層向上する。
【００２８】
請求項１０に記載された装着ユニットによれば、着用者の身体に接触するウイングの裏面に凹凸が設けられているので、着用者の肌の蒸れが防止されて装着感が一層向上する。
【００２９】
請求項１１に記載された装着ユニットによれば、着用者の腰に巻装された腰帯の両端を装着具のウイングを直接連結しているので、簡素な構成で装着具を直接確実に所定位置に保持させることができる。
【００３０】
請求項１２に記載された装着ユニットによれば、着用者の腰に腰帯を巻装し、腰帯に設けた固定帯を装着具に連結して吊り下げるように保持するので、装着具を安定かつ確実に所定位置に保持させることができる。
【００３１】
請求項１３に記載された本発明に係る男性用体液処理用品によれば、
着用者の身体（ペニス）に装着具の基体を確実に取り付け、さらにこの装着具を装着帯によって着用者の腰廻りに確実に保持させることができるので、吸収体製品の挿入部からペニスを挿入して該挿入部を基体の結合部に結合すれば、吸収体製品の着用者の身体に対する取付けが一層確実に行え、使用中の脱落や液漏れは一層生じにくい。また、着用者が寝たきりの状態であっても、吸収体製品の着脱は着用者の身体自体に対して直接行うのではなく、身体に取付けて装着帯で保持された装着具の基体に対して行うので、作業がしやすく、取付け状態も確実で安定している。
【発明を実施するための最良の形態】
【００３２】
次に、本願発明における最良の実施形態（以下本例とも呼ぶ）を説明する。
本例は、内部に吸収体が収納された袋体を有し、その袋体に設けられた挿入孔からペニスを挿入して尿等の処理に供される男性用の吸収体製品を好適な状態で着用者に装着するための使用補助具に関係する。具体的には、この袋状の吸収体製品を、液漏れしない装着確実な状態かつ容易に交換しうるような状態でぺニスに取付けられるようにぺニスに装着される装着具に関し、さらにこの装着具及び着用者の下半身に装着する装着帯からなる装着ユニットと、この装着ユニットと前記吸収体製品を含めた男性用体液処理用品とに関するものである。
以下、吸収体製品、装着具、装着ユニット及び男性用体液処理用品、装着具の変形例、装着ユニットを構成する装着帯の変形例等につき、各項目ごとにそれぞれ図面を参照して詳細に説明する。
なお、以下に開示する装着具、装着帯等の説明においては、変形例が多様であり、構造が同一でないものについてすべて異なる参照符号を付すことによる煩雑を回避するため、原則として発明を構成する要素として同等の機能を有する部分については同一の参照符号を付し、必要に応じてアルファベットの添え字を付して必要な区別を行うものとする。
【００３３】
（１）吸収体製品の構造例（図１〜図４）
図１〜図４に示す本例の吸収体製品１（以下、本製品１とも呼ぶ）は、男性の着用者が下腹部に身につけ、内部に尿等の体液の吸収体３を設けた袋体２の開口（スリット）である挿入部４からペニスを挿入して使用する衛生用品である。
【００３４】
本製品１は、不織布に樹脂製フィルムを圧着して構成した薄い防漏性シート材料からなる袋体２を有している。この袋体２は、前記防漏性シート材料の不織布を外側として使用し、図１及び図２に示すように前面側（着用者側）及び背面側から見て全体として図中上方を尖端として左右に張り出した矢羽根形状（略逆Ｖ字形）となるように、かつ全体としては内部空間を有する袋状となるように、その外周縁に沿って圧着して袋状に形成したものである。
【００３５】
この袋体２は、中央部の空間がペニス格納部５とされており、その前面側（着用者側）に形成された縦に長いスリットがペニスの挿入部４である。図示の挿入部４は縦に長い楕円形であるが、後述するように縦長の矩形でもよいし、縦長の三角形でもよい。また、場合によっては横長であってもよい。
【００３６】
このペニス格納部５の両側は、ペニス格納部５にそれぞれ連通する第１吸収部６とされており、また袋体２の背面側には、ペニス格納部５の両側において、第１吸収部６及びペニス格納部５に連通する別空間である第２吸収部７が内側への折り返し部８を介してそれぞれ形成されている。なお、使用時にこの折り返し部分８が伸張すれば袋体２の内部空間は拡大される。
【００３７】
これら第１及び第２吸収部６，７内には、体液を吸収するための高分子吸収体シート３がそれぞれ設けられている。さらに、第１吸収部６、第２吸収部７、ペニス格納部５の間には、これらの各部の間で体液の移動を容易にするための液体ガイド層９が設けられており、ペニス格納部５に一時に大量の体液が排出された場合には、この液体ガイド層９を介して体液は左右の第１吸収部６及び第２吸収部７に分散して案内され、各部の高分子吸収体シート３に吸収されるため、排出された体液がペニス格納部５に滞留することがない。
【００３８】
図１及び図４に示すように、袋体２の前面側において、前記挿入部４の近傍には、下部が一体となった可撓性材料からなる２本の帯状の結束バンド１０が設けられている。結束バンド１０は、着用者が着用時に挿入部４から挿入したペニスＰに巻き付けて使用する。結束バンド１０には、袋体２の表面の不織布に接合し易い薄いフック層１１が設けられ、着用時に結束バンド１０をペニスＰに巻き付けた後に袋体２の正面側に接合できる。従って、男性の着用者がペニスＰを袋体２の挿入部４から内部に挿入し、２本の結束バンド１０，１０を互いに反対方向からペニスＰにかけ回してペニスＰを結束し、これら各結束バンド１０のフック層１１を袋体２の正面側に接合すれば、着用者のぺニスＰに対して本製品１を確実に取り付けることができる。
但し、本例では、後述するようにこの吸収体製品単独で着用者に装着するのではなく、着用者のぺニスに挿入して装着するリング状乃至短筒状の装着具を介して吸収体製品を装着するので、必ずしも装着のために上記結束バンド１０が必須であるとはいえない。
【００３９】
なお、図２に示すように、袋体２の背面側の中央上部には、粘着層１２が設けられている。粘着層１２は図示しない剥離シートに覆われており、着用時に該剥離シートを剥がせば、着用者の下着の前身頃の内面側に袋体２を貼り付けて本製品１の着装を確実にすることができる。
【００４０】
（２）装着具の構造例（図５及び図６）
本例の装着具２０は、前記吸収体製品１を着用者に簡易かつ確実に装着するために用いられる治具であって、環状又は先方が小径の円錐台形で中央の挿入孔２１が前後に貫通した短筒状の基体２２を必須とし、さらに装着を確実にする装着帯を取り付けるために該基体２２の両側部に突出して一体に設けられた左右一対のウイング２３を有することが好ましい。なお、ここでウイングとは、図示のような翼状の張り出し片を意味することはもちろん、後述するように必ずしも翼状のものだけでなく、要するに基体２２の両側部に突出して一体に張り出すような平板状の部分であればよい。装着具２０の材質としてはは、着用者の肌に直接接することから、柔らかくクッション性がありかつ摩擦によりある程度の位置保持性が得られる材質、例えばポリエチレン、ウレタン、ゴム等の発泡体や弾性材料が採用できる。
【００４１】
基体２２は、ペニスＰを挿入孔２１に挿入・貫通させてペニスＰに装着固定し、このペニスＰの先端が挿入された前記吸収体製品１を取り付けるための部材である。基体２２の挿入孔２１に着用者ＭのペニスＰが挿入されると、挿入孔２１の先方の直径が小さくなっていることから、挿入孔２１の内周面がペニスＰの外周面に密着してペニスＰに対して基体２２はずれにくくなり、装着具２０はしっかりとペニスＰに装着される。また、基体２２には吸収体製品１を確実かつ着脱可能に取り付けるための結合部が設けられている。この結合部は、例えば図６中に示す結合部２４のように、基体２２の先端の外周（又は内周）に設けられた粘着面、面ファスナー等の結合手段でもよいし、後述するように機械的な係止部のような結合手段でもよい。また基体２２側に設けないで吸収体製品１の挿入部４の周辺に設けることとしても良い。
従って、この装着具２０を着用者Ｍの身体（ぺニスＰ）に取付け、吸収体製品１を結合部を介して装着具２０に取り付けることで、吸収体製品１を着用者Ｍの身体側にしっかりと装着することができる。
【００４２】
前述したウイング２３は、後述する着用者Ｍの下半身（腰等）に巻装される装着帯（２５）に固定される部分であり、これによって装着具２０はさらに確実に着用者Ｍの身体に取り付けられる。すなわち、図５及び図６中には現れないが、ウイング２３の端部又は後述する装着帯（２５）の端部には面ファスナー等の連結部（２６）を設けておくことにより、装着具２０のウイング２３と装着帯（２５）とは必要に応じて結合したり分離したりできる。このウイング２３は、着用者Ｍの鼠蹊部と干渉しないように各々水平方向よりもやや上方に傾斜した形状になっているため、着用者Ｍの着用感はよく、また体位の変化や脚部の運動等によって装着具２０が外れないように配慮されている。
【００４３】
（３）装着ユニットの構造例（図７及び図８）
図７及び図８は、装着具と装着バンドから構成される本例の装着ユニットを着用者Ｍが実際に着用した状態を示す。
この装着ユニット２７は、（２）で説明した前記装着具２０と、着用者Ｍの下半身に巻装されて前記装着具２０に連結される保持用の装着帯２５とにより構成される。本例の装着帯２５は、着用者Ｍの腰に巻装される腰帯２８を有しており、この腰帯２８の両端が装着具２０の前記ウイング２３に前記連結部２６（例えば面ファスナー等）を介して連結される。そして、この腰帯２８には、腰の左右両側に相当する２箇所に、それぞれ固定帯２９の一端部が固定されており、各固定帯２９の他端部は着用者Ｍの股下を経て前方に引き回され装着具２０の前記ウイング２３に前記連結部２６（例えば面ファスナー等）を介して連結されるようになっている。この装着帯２５によれば、装着具２０単独に対して吸収体製品１を装着した場合に比べ、ぺニスＰに装着された装着具２０を確実に保持できることから、吸収体製品１の装着状態が安定し不意に吸収体製品１が外れたり装着状態の不良により液漏れを起こしたりする危険性が減少する。なお、固定帯２９は、着用者Ｍが通常の下着を付けた場合の該下着の裾のラインにほぼ相当する位置に配されるので、着用者Ｍにとっては着用時に違和感が少ない。
【００４４】
（４）男性用体液処理用品の構造例（図９〜図１６）
図９及び図１０は、（３）で説明した装着ユニット２７を着用者Ｍが装着し、着用者Ｍのぺニスを挿入した袋状の吸収体製品１を該装着ユニット２７の基体２２に結合した状態を示すものである。
特に、図９は（１）で説明した形状・構造の吸収体製品１を使用した例であり、図１０は他の構造の吸収体製品１’を使用した例を示すものである。これらの図では、袋体からペニスが露出しているように見えるが、これは構造の説明のための便宜であり、実際にはペニスは袋体の内部に格納されている。このように、本例の装着具２０又は装着ユニット２７に適用可能な吸収体製品は、必ずしも（１）で説明したようなものに限られるものではなく、要するに袋状の本体内に十分な吸収容量を有する吸収体があって、この袋状の本体にぺニスＰを差し込んで使用するタイプのものであればよい。
【００４５】
ここで、上述したような構造の場合、ぺニスＰが差し込まれる吸収体製品の挿入部の近傍を、ぺニスＰが貫通している装着具２０の挿入孔２１の近傍に結合し、液漏れを防止することが必要である。そのためには、吸収体製品の挿入部と装着具の結合部が隙間なく一体となるような構造を有している必要がある。
【００４６】
図１１〜図１６は、上述のような液漏れ構造を備えた装着具と吸収体製品との結合部の構造を示す図であり、これらの図を参照して係る構造について説明する。
図１１は、前記装着具２０の基体２２の先端外周に、結合部として、面ファスナー２４ａ（第１の結合手段）を設けた例である。ここで、面ファスナーとは、微小な係止部材（係止鉤等）が所定の面積の基材上に多数植設された面接合手段であり、不織布等又はループ構造を有する対象物に対してワンタッチで結合・離脱することができる。この例によれば、同図（ａ），（ｂ），（ｃ）に示すように吸収体製品１ａの挿入部４に基体２２を挿入し、面ファスナー２４ａを前記吸収体製品１ａの袋体の内側に貼着することにより、前記基体２２を前記挿入部４に挿入した状態に保持し、吸収体製品１ａを装着具２０にしっかりと結合することができる。面ファスナー２４ａは基体２２の先端外周に全周にわたって設けられているので、同図（ｄ）の断面図に示すように基体２２と吸収体製品１ａとの間は実質的に密着しているので、この間から液漏れが生じるおそれは少ない。
【００４７】
図１２は、図１１に示した例において、吸収体製品１’の袋体の外面において、挿入部４の両側の位置にも別途面ファスナー２４ｂを設けた例である。同図（ａ），（ｂ），（ｃ）に示すように前記基体２２を前記挿入部４に挿入した状態で挿入部４の両側の袋体を挿入部４側に折り返して袋体に結合することで、同図（ｄ）の断面図に示すように基体２２と吸収体製品１ｂとを密着させた状態で吸収体製品１ｂを装着具２０に結合することができる。
【００４８】
図１３は、前記装着具２０の基体２２の先端に、結合部として、外方突出形状のフランジ部からなる係止構造３５（結合手段）を設けたものであり、吸収体製品１ｃの挿入部４には、結束用の紐体５０を付属させて設けておく。同図（ａ），（ｂ），（ｃ）に示すように、基体２２を挿入部４内に挿入し、紐体５０を引き縛って結び、係止構造３５に袋体の挿入部４を引っ掛けて吸収体製品１ｃを装着具２０に結合することができる。
【００４９】
図１４は、図１３と同様の係止構造を有する前記装着具２０において、吸収体製品１ｄの挿入部４には結束用の巾着状の紐体５１を設けたものである。同図（ａ），（ｂ），（ｃ）に示すように、基体２２を挿入部４内に挿入し、巾着状の紐体５１を引き縛ることにより、係止構造３５に袋体の挿入部４を引っ掛けて吸収体製品１ｄをワンタッチの操作で装着具２０に結合することができる。
【００５０】
図１５は、図１３と同様の係止構造を有する前記装着具２０において、吸収体製品１ｅの挿入部４の周囲に弾性材料からなる弾性帯５２を設けたものである。同図（ａ），（ｂ），（ｃ）に示すように、弾性帯５２を引き伸ばして吸収体製品１ｅの挿入部４に基体２２を挿入し、弾性帯５２から手を離せば弾性帯５２が縮退して吸収体製品１ｅを装着具２０にワンタッチの操作で結合することができる。
【００５１】
図１６は、前記装着具２０の基体２２の先端に、結合部として、外方に突出した周状で後方に反り返った鉤爪部を有する係止構造３５ｘを設けたものであり、これに対し、吸収体製品１ｆの挿入部４の周囲には、円筒形の口部３３の先端の内側に、装着具２０のものとは反対方向に向いた鉤爪部を有する係止構造３５ｙが設けられている。同図（ａ）に示すように、装着具２０の基体２２を吸収体製品１ｆの口部３３の挿入部４内に挿入すれば、同図（ｂ）に示すように、両係止構造３５ｘ，３５ｙの鉤爪部が互いに係合し、吸収体製品１ｆはワンタッチの操作で装着具２０に確実に結合することができる。
なお、面ファスナーと係止構造を両方とも設けることとすれば、吸収体製品と装着具の結合はより確実になり、液漏れのおそれはさらに低減する。
【００５２】
（５）装着具２０の変形例（図１７〜図２６）
前記装着具２０の形状・構造上の種々の変形例を図１７〜図２６を参照して説明する。
図１７は、種々の構造のウイング２３を有する装着具２０の変形例を示す。
図１７（ａ）に示す装着具２０ａは、図５及び図６に示し（２）で説明した装着具２０と同一構造であるが、その一対のウイング２３，２３の前面側（及び必要に応じて後面側）には装着帯２５を着脱可能に結合するための面ファスナー又は粘着面等の連結部２６を設けたものであり、前面側の連結部２６を図面上明示したものである。
【００５３】
図１７（ｂ）に示す装着具２０ｂは、（ａ）と同一構造において各ウイング２３に孔部３０を形成して枠状にし、着用者Ｍが装着した際の肌の蒸れを防止したものである。
【００５４】
図１７（ｃ）に示す装着具２０ｃは、（ａ）と同一構造において各ウイング２３に多数の細かい孔部３０ａを形成し、着用者Ｍが装着した際の肌の蒸れを防止したものである。
【００５５】
図１７（ｄ）に示す装着具２０ｄは、（ａ）と略同一構造であるがウイング２３ａは斜め上に傾斜せず水平に伸びており、装着帯２５を結合した場合に装着帯２５の長手方向とウイング２３ａを含めた装着具２０の長手方向が一致するために、装着帯２５が弛みにくい構造である。
【００５６】
図１７（ｅ）に示す装着具２０ｅは、挿入孔２１の構造は（ａ）と略同一であるがウイング２３ｂが３枚であり、斜め上方向きの２枚に加えて真下向きの１枚が設けられた例である。この装着具２０ｅは、斜め上方向きの２枚のウイング２３ｂに結合される１本の腰帯２８と、着用者Ｍの股下を通って真下向きの１枚のウイング２３ｂに結合される１本の固定帯２９とからなる装着帯２５等を以て保持することができる。
【００５７】
図１７（ｆ）は（ｅ）においてウイング２３ｃの長さを短くして全体としてコンパクトな構成としたものである。
【００５８】
図１８は、種々の構造のウイング２３又は挿入孔２１を有する装着具２０の変形例を示す。
図１８（ａ）に示す装着具２０ｇは、図５及び図６に示し（２）で説明した装着具２０と挿入孔２１は同一構造であるが、上下に伸びる一対のウイング２３ｄ，２３ｅを有し、下側のウイング２３ｅが孔部３０ｂにより枠状に形成された例である。この孔部３０ｂは、着用者Ｍの睾丸を逃がして着用時に睾丸に無用な圧力が加わらないようにする機能を有し、蒸れ防止の効果とともに装着感を一層向上させる。この装着具２０ｇは、装着帯２５の腰帯２８の１箇所において上側のウイング２３ｄの連結部２６に結合され、着用者Ｍの股下を通る１本の固定帯２９が下向きのウイング２３ｅの連結部２６に結合される。
【００５９】
図１８（ｂ）に示す装着具２０ｈは、図１７（ｅ）の装着具２０ｅと略同一構造において下向きのウイング２３ｇに孔部３０ｃを形成して枠状にし、着用者Ｍが装着した際には睾丸を逃がして着用時に睾丸に無用な圧力が加わるのを防止するとともに、肌の蒸れを防止したものである。
【００６０】
図１８（ｃ）に示す装着具２０ｊは、円筒形ではなく中央に挿入孔２１がある環状の鍔体を基体２２ａとしている。基体２２ａは外方に張り出して周状に連続するウイング２３ｈとなり、ここに面ファスナー等の連結部２６が４箇所に設けられており、装着帯２５の腰帯２８の両端が上の２つに結合され、装着帯２５の２本の固定帯２９の各端部が下方の２つに結合される。
【００６１】
図１８（ｄ）に示す装着具２０ｋは、図１８（ｃ）に示した装着具２０ｊと略同一構造であるが、基体２２ｂ全体の直径がより大きく挿入孔２１ａが小さいタイプであり、着用者Ｍのサイズに合せて選択することができる。
【００６２】
図１８（ｅ）に示す装着具２０ｍは、挿入孔２１の構造は図１７（ａ）と略同一であるがウイング２３ｋが４枚であり、斜め上方向きの２枚に加えて斜め下方向きの２枚が設けられた例である。この装着具２０ｍは、斜め上方向きの２枚のウイング２３ｋに両端が結合される１本の腰帯２８と、着用者Ｍの股下を通って斜め下向きの２本のウイング２３ｋに結合される２本の固定帯２９とからなる装着帯２５等で保持することができる。
【００６３】
図１８（ｆ）に示す装着具２０ｎは、図１８（ｅ）において斜め下方向きの２枚のウイング２３ｋを下向きのウイング２３ｍにしたものであり、その間に着用者Ｍの睾丸を逃がすための半円形の切欠３１が設けられている。装着帯２５の構造は図１８（ｅ）の場合と略同様である。
【００６４】
図１９は、装着具２０（又は２０ａ）の挿入孔２１付近の形状・構造の変形例を示す。
図１９（ａ）及び（ｂ）は、図５及び図６に示し（２）で説明した装着具２０と同一構造であり、前述したように前後に貫通した挿入孔２１は前方（身体から離れる方向）に向かうに従って内径が小さくなっている。
【００６５】
図１９（ｃ）に示す装着具２０は、円錐台形ではなく直円筒形であり、挿入孔２１の内径が一定であるのでぺニスＰを挿入する際に抵抗が少なく装着が容易である。
【００６６】
図１９（ｄ）に示す装着具２０は、図１９（ｂ）とは逆に挿入孔２１の内径が前方に行くに従って拡大する例であり、ぺニスＰの根本でぺニスＰに掛止して取り付けられる。
【００６７】
図１９（ｅ）に示す装着具２０は、挿入孔２１の内面が内に向けて滑らかに凸とされ、前方の開口には係止構造３５としてのフランジが形成された例であり、吸収体製品１の挿入部４をこのフランジに掛けて取り付けることが可能である。
【００６８】
図１９（ｆ）は図１８（ｃ）、（ｄ）に示すような装着具２０ｊ，２０ｋの挿入孔２１，２１ａ付近の形状・構造を示すものであり、中央に設けられた円形の挿入孔２１，２１ａにおいてペニスＰに係止する。
【００６９】
図２０は、円筒形または円錐台形の基体２２において挿入孔２１の付近に設けられた結合部としての係止構造３５の構造例を示す。これら係止構造３５は、その形状により機械的に吸収体製品１の挿入部４を引っ掛け、又は前述したように吸収体製品側の紐体等と協働して吸収体製品に結合される部分である。
図２０（ａ）は、図５及び図６に示し（２）で説明した装着具２０において、基体２２の先端の外側に水平なフランジ状の係止構造３５ａを設けたものである。
【００７０】
図２０（ｂ）は、図５及び図６に示し（２）で説明した装着具２０において、図１６で示したような身体側に向いた反しを備えて係止を一層確実にしたフランジ状の係止構造３５ｂを設けたものである。
【００７１】
図２０（ｃ）は、図５及び図６に示し（２）で説明した装着具２０において、基体２２の先端の外側に２段構造で面取りしたフランジ状の係止構造３５ｃを設けて装着の確実性と脱離の容易性を実現したものである。
【００７２】
図２０（ｄ）は、図５及び図６に示し（２）で説明した装着具２０において、基体２２の先端の外側に凹溝状の係止構造３５ｄを設けて装着の確実性を実現したものである。ここで、挿入孔２１の内面には凹溝状の係止構造に対応した凸条が形成されるので、装着時のペニスＰの固定が一層確実になる。
【００７３】
図２０（ｅ）は、図５及び図６に示し（２）で説明した装着具２０において、基体２２の先端を外側に向けて湾曲させた凸状の係止構造３５ｅを設けて装着の確実性と脱離の容易性を実現したものである。
【００７４】
図２０（ｆ）は、図５及び図６に示し（２）で説明した装着具２０において、基体２２の先端の外側に１段の凹溝状の係止構造３５ｆを設けて装着の確実性を実現したものである。
【００７５】
図２０（ｇ）は、（ｆ）の係止構造３５ｆを２段にした係止構造３５ｇを設けて装着の確実性を一層高めたものである。
【００７６】
図２１は、円筒形または円錐台形の基体２２において挿入孔２１の付近に身体側への液漏れ防止用の各種構造を設けた例を示す。
図２１（ａ）、（ｂ）は、図５及び図６に示し（２）で説明した装着具２０（又は２０ａ）であり、装着時にはペニスＰが挿入孔２１内にぴったりと嵌るので吸収体製品１から漏れた尿が挿入孔２１から身体側に入り込むことはないが、（ｃ）以降に図示する構成を付加すればなおよい。
【００７７】
図２１（ｃ）は、図５及び図６に示し（２）で説明した装着具２０（又は２０ａ）において、挿入孔２１の内周面に、挿入孔２１に挿入されたぺニスＰの外周面に密着する可撓性を備えた周状のシール片３７を複数段（図示では４段）設けた例を示す。シール片３７は斜め前方に向けられており、ペニスＰの挿入が容易であるとともに、装着後は尿が逆流してもペニスＰの外周面に密着する逆止弁となって挿入孔２１内に尿が入るのを効果的に防止する。
【００７８】
図２１（ｄ）は、図５及び図６に示し（２）で説明した装着具２０（又は２０ａ）において、挿入孔２１の身体側の開口において、その内周面に、挿入孔２１に挿入されたぺニスＰに密着する可撓性を備えた１枚の周状のシール片３７ａを設けた例を示す。シール片３７ａは、装着後は尿が逆流してもペニスＰの外周面に密着する逆止弁となって挿入孔２１内に尿が入るのを効果的に防止する。
【００７９】
図２１（ｅ）は、（ｄ）のシール片３７ａを斜め前方に向けた構造のシール片３７ｂとし、ペニスＰの挿入を容易にするとともに、装着後は尿が逆流してもペニスＰの外周面に密着する逆止弁となって挿入孔２１内に尿が入るのを効果的に防止する。
【００８０】
図２１（ｆ）は、図５及び図６に示し（２）で説明した装着具２０（又は２０ａ）において、基体２２の後面（身体側）に、挿入孔２１の周縁において着用者Ｍの身体に接触する断面角型で環状のシール部３９を突出して設けたものである。装着後は、尿が逆流して挿入孔２１に入ったとしても、挿入孔２１の身体側の開口においてシールされるので、身体側に液漏れすることがない。
【００８１】
図２１（ｇ）は、（ｆ）のシール部３９のシール幅を大きくして液漏れ防止機能を一層固めたシール部３９ａを設けたものである。
【００８２】
図２１（ｈ）は、断面半円形のシール部３９ｂを設けて着用者Ｍの身体に対する当たりを和らげて装着感を向上させたものである。
【００８３】
図２２は、装着具２０（又は２０ａ）の基体２２に設けられたウイング２３の後側（身体側）に、身体表面との接触面積を減らして蒸れを防止するための凹凸４１を設けた例を示す。
図２２（ａ）、（ｂ）は、図５及び図６に示し（２）で説明した装着具２０（又は２０ａ）において、ウイング２３の後側（身体側）に、縦方向に沿って凹溝及び凸条を交互に設けて凹凸４１としたものの断面図及び正面図（凹凸４１を図上透視して示す）であり、身体表面との接触面積を減らして蒸れを防止することが出来る。
【００８４】
図２２（ｃ）に示すように、縦横の凹溝及び凸条から構成されるで格子状の凹凸４１ａでもよいし、図２２（ｄ）に示すように、略半円形状の凸部を設けることで凹凸４１ｂとしても良い。
【００８５】
次に、図２３〜図２６を参照して、他の装着具２０の構成について説明する。
図２３及び図２４に示す装着具２０ｘは、図５及び図６に示し（２）で説明した装着具２０（又は２０ａ）において基体２２の先端下側に略Ｕ字状の切欠部５５を設けたものである。図２５に示す装着具２０ｙは、同じく基体２２の先端左右両側に略Ｕ字状の切欠部５６がそれぞれ設けられている。これらの装着具２０ｘ，２０ｙによれば、装着時にぺニスＰの挿入がし易く、介護者が装着具２０ｘ、ｙの挿入孔２１からぺニスＰを引っ張り出しやすくなる。さらに、この装着具２０ｘは、図２６に示すように、後述する装着帯２５によって着用されるが、この図からも分かるように、着用者ＭのぺニスＰは切欠部５５によって案内保持されるので、仰臥位での使用（装着具２０ｘの場合）や、横臥位での使用（装着具２０ｙの場合）において、ぺニスＰの向きが自然な方向（下や横）に向くようになる。また、ぺニスＰの向きを固定することにより、排尿時の液の流れを吸収体製品の吸収体の方へと誘導しやすくなる。
【００８６】
（６）装着帯２５の変形例（図２７〜図３９）
装着具２０及び装着帯２５からなる装着ユニット２７の種々の形態を図２７〜図３９を参照して説明する。図２７から図３３及び図３５から図３７の各図において、それぞれ（ａ）は装着帯２５を示し、（ｂ）は装着帯２５と装着具２０からなる装着ユニット２７を示し、（ｃ）は装着ユニット２７を装着した状態を身体の側面側から示すものである。なお、これらの装着帯２５は、全体を弾性材料で構成してもよいが、少なくとも長さ方向の一部分を弾性材料で構成すれば、着用者Ｍの胴体に確実にフィットさせることができる。
【００８７】
図２７は、図１７（ａ）に示す装着具２０ａを使用した例であり、装着帯２５は、着用者Ｍの腰に巻装されるとともに、その両端が装着具２０の左右一対のウイング２３に連結部２６を介して連結された腰帯２８からなる。なお、ここで装着帯２５と装着具２０を連結する連結部とは、装着帯２５が連結される装着具２０のウイング２３の端部と、装着具２０のウイング２３に設けられた面ファスナー等の連結手段である連結部２６と、ウイング２３に連結される装着帯２５の端部と、ウイング２３に連結される装着帯２５の端部に設けられる面ファスナー等の連結手段のいずれをも意味するものである。
【００８８】
図２８は、図１７（ｆ）に示す装着具２０ｆを使用する場合であり、装着帯２５ａは、着用者Ｍの腰に巻装されるとともに、その両端が装着具２０ｆの左右一対のウイング２３ｃに連結部２６を介して連結される腰帯２８と、腰帯２８の背面側中央に取り付けられて股下にかけ回され、下向きのウイング２３ｃに連結部２６を介して連結された１本の固定帯２９からなる。
【００８９】
図２９は、図１７（ｆ）に示す装着具２０ｆを使用する場合であり、装着帯２５ｂは、着用者Ｍの腰に巻装されるとともに、その両端が装着具２０ｆの左右一対のウイング２３ｃに連結部２６を介して連結された腰帯２８と、腰帯２８の両側面にそれぞれ取り付けられて各先端が一体とされた２本の固定帯２９ａからなり、この２本の固定帯２９ａの１つの先端は、股下にかけ回されて下向きのウイング２３ｃに連結部２６を介して連結される。本例によれば、１本の固定帯２９をそのまま股下にかけ回す図２８の装着帯２５ａとは異なり、２本の固定帯２９ａが２股状になっているので肛門に当たることがなく、排便時の障害にならない。また、２本の固定帯２９ａは下着の裾のラインと一致した位置に来るので、着用者Ｍにとって着用時の違和感がない。
【００９０】
図３０は、図１７（ａ）に示す装着具２０ａを使用する場合であり、装着帯２５ｃは、着用者Ｍの腰に巻装されるとともに、その両端が装着具２０ａの左右一対のウイング２３に連結部２６を介して連結された腰帯２８と、腰帯２８の両側面にそれぞれ直交して取り付けられて股下にかけ回され、左右一対のウイング２３に連結部２６を介して連結された２本の固定帯２９，２９からなる。本例も、２本の固定帯２９，２９が肛門の左右に配される状態となるので、排便時の障害にならない。
【００９１】
図３１は、図１７（ａ）に示す装着具２０ａを使用する場合であり、装着帯２５ｄは、着用者Ｍの腰にウエストサイズに合わせて巻装されて長さ調節可能な固定手段４３ａ、４３ｂで固定される腰帯２８ａと、腰帯２８ａの両側面にそれぞれ直交して取り付けられて両太腿の付け根付近の外側に沿ってかけ回され、左右一対のウイング２３に連結部２６を介して連結された２本の固定帯２９ｂ，２９ｂからなる。本例も、２本の固定帯２９ｂ，２９ｂが太腿の前側に配される状態となるので、排便時の障害にならない。また、腰帯２８ａを身体に装着したまま、２本の固定帯２９ｂ，２９ｂのみを装着具２０ａから外すだけで装着具２０ａをペニスＰから直ちに取り外すことができる。
【００９２】
図３２は、図１７（ａ）に示す装着具２０ａを使用する場合であり、装着帯２５ｅは、着用者Ｍの腰にウエストサイズに合わせて巻装されて長さ調節可能な固定手段４３ａ，４３ｂで固定される腰帯２８ｂと、腰帯２８ｂと一体で腰帯２８ｂと平行に延設された２本の固定帯２９ｃ，２９ｃからなり、この２本の固定帯２９ｃは、両太腿の付け根付近の外側に沿ってかけ回され、左右一対のウイング２３に連結部２６を介して連結される。本例も、２本の固定帯２９ｃが太腿の前側に配される状態となるので、排便時の障害にならない。また、腰帯２８ｂを身体に装着したまま、２本の固定帯２９ｃ，２９ｃのみを装着具２０ａから外すだけで装着具２０ａをペニスＰから直ちに取り外すことができる。
【００９３】
図３３は、図１７（ａ）に示す装着具２０ａを使用する場合であり、装着帯２５ｆは、着用者Ｍの腰にウエストサイズに合わせて巻装されて長さ調節可能な固定手段４３ａ，４３ｂで固定される幅広の腰帯２８ｃと、腰帯２８ｃに平行に取り付けられて延設された２本の固定帯２９ｄ，２９ｄからなり、この２本の固定帯２９ｄは、両太腿の付け根付近の外側前面に沿ってかけ回され、左右一対のウイング２３に連結部２６を介して連結される。本例も、２本の固定帯２９ｄが太腿の前側に配される状態となるので、排便時の障害にならない。また、腰帯２８ｃを身体に装着したまま、２本の固定帯２９ｄ，２９ｄのみを装着具２０ａから外すだけで装着具２０ａをペニスＰから直ちに取り外すことができる。また、腰帯２８ｃが幅広なので長く着用しても着用者Ｍの肌に圧迫によるダメージを与えることが少ない。
【００９４】
図３４は、図３３に示した装着帯２５ｆの変形例である装着帯２５ｇを外側（着用者Ｍの身体に接しない表側）から見た図であり、腰帯２８ｄの一端の外側には、装着時に手を入れるためのポケット４５が設けられており、介助者が着用者Ｍの腰にこの腰帯２８ｄを巻く際には、介助者は一方の手Ｈをポケットに入れておき、ベッド上に寝ている着用者Ｍの腰を他方の手で若干持ち上げ、その隙間に一方の手Ｈを差し込んで反対側から出せば容易に腰帯２８ｄを着用者Ｍの腰の背側にかけ回すことができ、装着が容易である。なお、図中４７は幅広の腰帯２８ｄが装着時に捩れないようにするための形状安定用補強材である。
【００９５】
図３５は、図１８（ｄ）に示す装着具２０ｋにおいて、装着具と装着帯の結合部２６が１箇所とされた場合の例であり、装着帯２５ｈは、着用者Ｍの腰にウエストサイズに合わせて巻装されて長さ調節可能な固定手段４３ａ，４３ｂで固定される腰帯２８ａと、巻装状態において着用者Ｍの前面側に来る腰帯２８ａの部位に直交して取り付けた１本の短い固定帯２９ｅからなる。装着時、ペニスＰに取り付けられた円盤状の装着具２０ｋは、腰帯２８ａから固定帯２９ｅを介して安定的に吊り下げ保持された状態となる。
【００９６】
図３６は、図１８（ｄ）に示す装着具２０ｋにおいて、装着具と装着帯の結合部が２箇所とされた場合の例であり、装着帯２５ｊは、着用者Ｍの腰にウエストサイズに合わせて巻装されて長さ調節可能な固定手段４３ａ，４３ｂで固定される腰帯２８ａと、巻装状態において着用者Ｍの前面側に来る腰帯２８ａの部位に直交して取り付けた１本の短い固定帯２９ｅと、これとは反対側に同様に設けられた１本の長い固定帯２９からなる。装着時、ペニスＰに取り付けられた円盤状の装着具２０ｋは、腰帯２８ａから短い固定帯２９ｅを介して安定的に吊り下げ保持された状態になるとともに、長い固定帯２９によって上方へのずれも規制された安定した状態に保持される。
【００９７】
図３７は、図１８（ｄ）に示す装着具２０ｋにおいて、装着具と装着帯の結合部が２箇所とされた場合の例であり、装着帯２５ｋは、着用者Ｍの腰にウエストサイズに合わせて巻装されて長さ調節可能な固定手段４３ａ，４３ｂで固定される腰帯２８ａと、巻装状態において着用者Ｍの前面側に来る腰帯２８ａの部位に直交して取り付けた１本の短い固定帯２９ｅと、腰帯２８ａの両側面にそれぞれ取り付けられて各先端が一体とされた２本の固定帯２９ａからなる。装着時、短い固定帯２９ｅは装着具２０ｋの上側に結合され、２本の固定帯２９ａの１つの先端は股下にかけ回されて装着具２０ｋの下側に結合される。本例によれば、図３６に示す例と同様、装着具２０ｋは上下から位置を規制されて安定保持され、また２本の固定帯２９ａは２股状になっているので肛門に当たることがなく、排便時の障害にならない。また、２本の固定帯２９ａは下着の裾のラインと一致した位置に来るので、着用者Ｍにとって着用時の違和感がない。
【００９８】
図３８は、図１７（ａ）に示す装着具２０ａを使用する場合であり、装着帯２５ｍは、着用者Ｍの腰にウエストサイズに合わせて巻装されて長さ調節可能な固定手段４３ａ，４３ｂで固定される腰帯２８ａと、腰帯２８ａの両側面にそれぞれ直交して取り付けられて股下にかけ回される２本の固定帯２９，２９からなる。装着時、２本の固定帯２９は、股下にかけ回されて各端部を腰帯２８ａに固定手段４３で固定され、その各中途部分において装着具２０ａの左右一対のウイング２３の結合部２６に結合される。本例によれば、２本の固定帯２９は肛門に当たることがなく、排便時の障害にならない。
【００９９】
図３９は、図１７（ａ）に示す装着具２０ａを使用する場合であり、装着帯２５ｎは、着用者Ｍの腰にウエストサイズに合わせて巻装されて長さ調節可能な固定手段４３ａ，４３ｂで固定される腰帯２８ａと、腰帯２８ａの両側面にそれぞれ角度を以って取り付けられ、中途部分で交差して股下にかけ回される２本の固定帯２９，２９からなる。装着時、２本の固定帯２９は、股下にかけ回されて各端部を腰帯２８に固定手段４３で固定され、その各中途部分において装着具２０の左右一対のウイング２３の結合部２６に結合される。本例によれば、２本の固定帯２９は肛門に当たることがなく、排便時の障害にならない。
【０１００】
なお、以上の説明では、装着具２０の挿入孔２１は円形であったが、装着具及びその挿入孔の形状は上述のもののみに限定されるものではなく、例えば、図４０に示す装着具６０ａは逆三角形の外形の基体６２ａを有し、挿入孔６１ａの形状も逆三角形であり、左右一対のウイング６３ａはそれぞれ斜め上方外側に向けて開いている。また、図４１に示す装着具６０ｂは逆台形（四角形）の外形の基体６２ｂを有し、挿入孔６１ｂの形状も逆台形（四角形）であり、左右一対のウイング６３ｂはそれぞれ斜め上方外側に向けて開いている。このように、三角形、四角形といった角を有する挿入孔の形状であっても、漏れ対策に配慮すれば問題はない。
【０１０１】
また、以上の実施形態では、装着具と装着帯は部品として別体に構成され、これを互いに連結部で連結して装着ユニットとして使用していたが、装着具と装着帯が予め一体のものとして製造された装着ユニットも当然本発明の範囲に含まれる。
【０１０２】
以上説明したように、本例に係る男性用吸収体製品１の装着具２０及び装着ユニット２７ならびに男性用体液処理用品によれば、着用者Ｍの身体（ペニスＰ）に装着具２０の基体２２を確実に取り付け、さらにこの装着具２０を装着帯２５によって着用者Ｍの腰廻りに確実かつ安定して保持させることができるので、吸収体製品１の挿入部からペニスＰを挿入して該挿入部を基体２２の結合部に結合すれば、吸収体製品１の着用者Ｍの身体に対する取付けが一層確実に行え、使用中の脱落や液漏れが生じにくい。また、吸収体製品１の着脱は着用者Ｍの身体自体に対して直接行うのではなく、身体に取付けて装着帯２５で保持された装着具２０の基体２２に対して行うので、作業がしやすく、特に寝たきりの状態又は車椅子に座った状態にある着用者Ｍ及び交換に当たる介護者の双方にとって負担が軽く、比較的頻繁な交換が必要とされる尿処理用の吸収体製品の装着に適している。
【図面の簡単な説明】
【０１０３】
【図１】本発明の実施形態に係る男性用の吸収体製品１の正面図である。
【図２】本発明の実施形態に係る男性用の吸収体製品１の背面図である。
【図３】図１のＡ−Ａ切断線における断面図である。
【図４】図３のＢ−Ｂ切断線における断面図である。
【図５】本発明の実施形態に係る装着具２０の正面図、上面図、左側面図、正面図におけるＸ−Ｘ切断線及びＹ−Ｙ切断線における各断面図である。
【図６】本発明の実施形態に係る装着具２０の斜視図である。
【図７】本発明の実施形態に係る装着ユニット２７を着用者が装着した状態を前方から示す斜視図である。
【図８】本発明の実施形態に係る装着ユニット２７を着用者が装着した状態を後方から示す斜視図である。
【図９】本発明の実施形態に係る男性用体液処理用品（吸収体製品が図１に示すものである場合）を着用者が装着した状態を前方から示す斜視図である。
【図１０】本発明の実施形態に係る男性用体液処理用品１’（吸収体製品が図１に示すもの以外のものである場合）を着用者が装着した状態を前方から示す斜視図である。
【図１１】面ファスナーによる液漏れ構造を備えた装着具２０と吸収体製品１ａとの結合部の構造例を示す図である。
【図１２】面ファスナーによる液漏れ構造を備えた装着具２０と吸収体製品１ｂとの結合部の他の構造例を示す図である。
【図１３】装着具の係止構造と吸収体製品の紐体による液漏れ構造を備えた装着具２０と吸収体製品１ｃの結合部の構造例を示す図である。
【図１４】装着具の係止構造と吸収体製品の巾着様紐体による液漏れ構造を備えた装着具２０と吸収体製品１ｄの結合部の構造例を示す図である。
【図１５】装着具の係止構造と吸収体製品の弾性体による液漏れ構造を備えた装着具２０と吸収体製品１ｅの結合部の構造例を示す図である。
【図１６】装着具の鉤爪部を有する係止構造と吸収体製品の鉤爪部を有する口部による液漏れ構造を備えた装着具２０と吸収体製品１ｆの結合部の構造例を示す図である。
【図１７】本発明の実施形態に係る装着具２０の種々の形態例（ａ）〜（ｆ）を示す正面図である。
【図１８】本発明の実施形態に係る装着具２０の種々の形態例（ａ）〜（ｆ）を示す正面図である。
【図１９】本発明の実施形態に係る装着具２０の種々の形態例（ａ）〜（ｆ）を示す正面図である。
【図２０】本発明の実施形態に係る装着具２０の種々の形態例（ａ）〜（ｇ）を示す正面図である。
【図２１】本発明の実施形態に係る装着具２０の種々の形態例（ａ）〜（ｈ）を示す正面図である。
【図２２】本発明の実施形態に係る装着具２０の種々の形態例（ａ）〜（ｄ）を示す正面図である。
【図２３】本発明の他の実施形態に係る装着具２０ｂの正面図、低面図、左側面図である。
【図２４】本発明の他の実施形態に係る装着具２０ｂの斜視図である。
【図２５】本発明の他の実施形態に係る装着具２０ｃの正面図、低面図、左側面図である。
【図２６】本発明の他の実施形態に係る装着具２０ｂを装着帯２５で装着した状態を示す斜視図である。
【図２７】本発明の実施形態に係る装着ユニットの形態例を示す図であり、（ａ）は装着帯を示し、（ｂ）は装着帯２５と装着具２０からなる装着ユニット２７を示し、（ｃ）は装着ユニット２７を装着した状態を示すものである。
【図２８】本発明の実施形態に係る装着ユニット２７の形態例を示す図であり、（ａ）は装着帯２５を示し、（ｂ）は装着帯２５と装着具２０からなる装着ユニット２７を示し、（ｃ）は装着ユニット２７を装着した状態を示すものである。
【図２９】本発明の実施形態に係る装着ユニット２７の形態例を示す図であり、（ａ）は装着帯２５を示し、（ｂ）は装着帯２５と装着具２０からなる装着ユニット２７を示し、（ｃ）は装着ユニット２７を装着した状態を示すものである。
【図３０】本発明の実施形態に係る装着ユニット２７の形態例を示す図であり、（ａ）は装着帯２５を示し、（ｂ）は装着帯２５と装着具２０からなる装着ユニット２７を示し、（ｃ）は装着ユニット２７を装着した状態を示すものである。
【図３１】本発明の実施形態に係る装着ユニット２７の形態例を示す図であり、（ａ）は装着帯２５を示し、（ｂ）は装着帯２５と装着具２０からなる装着ユニット２７を示し、（ｃ）は装着ユニット２７を装着した状態を示すものである。
【図３２】本発明の実施形態に係る装着ユニット２７の形態例を示す図であり、（ａ）は装着帯２５を示し、（ｂ）は装着帯２５と装着具２０からなる装着ユニット２７を示し、（ｃ）は装着ユニット２７を装着した状態を示すものである。
【図３３】本発明の実施形態に係る装着ユニット２７の形態例を示す図であり、（ａ）は装着帯２５を示し、（ｂ）は装着帯２５と装着具２０からなる装着ユニット２７を示し、（ｃ）は装着ユニット２７を装着した状態を示すものである。
【図３４】図３３に示す装着帯２５の変形例を表側から示す図である。
【図３５】本発明の実施形態に係る装着ユニット２７の形態例を示す図であり、（ａ）は装着帯２５を示し、（ｂ）は装着帯２５と装着具２０からなる装着ユニット２７を示し、（ｃ）は装着ユニット２７を装着した状態を示すものである。
【図３６】本発明の実施形態に係る装着ユニット２７の形態例を示す図であり、（ａ）は装着帯２５を示し、（ｂ）は装着帯２５と装着具２０からなる装着ユニット２７を示し、（ｃ）は装着ユニット２７を装着した状態を示すものである。
【図３７】本発明の実施形態に係る装着ユニット２７の形態例を示す図であり、（ａ）は装着帯２５を示し、（ｂ）は装着帯２５と装着具２０からなる装着ユニット２７を示し、（ｃ）は装着ユニット２７を装着した状態を示すものである。
【図３８】本発明の実施形態に係る装着ユニット２７の形態例を示す図であり、（ａ）は装着帯２５を示し、（ｂ）は装着帯２５と装着具２０からなる装着ユニット２７を示すものである。
【図３９】本発明の実施形態に係る装着ユニット２７の形態例を示す図であり、（ａ）は装着帯２５を示し、（ｂ）は装着帯２５と装着具２０からなる装着ユニット２７を示すものである。
【図４０】本発明の他の実施形態に係る装着具６０ａの正面図、正面図の（イ）−（イ）切断線における断面図及び斜視図である。
【図４１】本発明の他の実施形態に係る装着具６０ｂの正面図、正面図の（イ）−（イ）切断線における断面図及び斜視図である。
【符号の説明】
【０１０４】
１    吸収体製品
２０，６０  装着具
２１，６１  装着具の挿入孔
２２，６２  装着具の基体
２３，６３  装着具のウイング
２４  吸収体製品と装着具の結合部
２５  装着帯
２６  装着帯と装着具の連結部
２７  装着ユニット
２８  腰帯
２９  固定帯
３０  ウイングの孔部
３５  結合部としての係止構造
３７  シール片
３９  シール部
４１  凹凸
Ｐ    ペニス
Ｍ  着用者
【図１】
2007098022.tif 000003
【図２】
2007098022.tif 000004
【図３】
2007098022.tif 000005
【図４】
2007098022.tif 000006
【図７】
2007098022.tif 000007
【図８】
2007098022.tif 000008
【図９】
2007098022.tif 000009
【図２６】
2007098022.tif 000010
【図４０】
2007098022.tif 000011
【図４１】
2007098022.tif 000012
【図５】
2007098022.tif 000013
【図６】
2007098022.tif 000014
【図１０】
2007098022.tif 000015
【図１１】
2007098022.tif 000016
【図１２】
2007098022.tif 000017
【図１３】
2007098022.tif 000018
【図１４】
2007098022.tif 000019
【図１５】
2007098022.tif 000020
【図１６】
2007098022.tif 000021
【図１７】
2007098022.tif 000022
【図１８】
2007098022.tif 000023
【図１９】
2007098022.tif 000024
【図２０】
2007098022.tif 000025
【図２１】
2007098022.tif 000026
【図２２】
2007098022.tif 000027
【図２３】
2007098022.tif 000028
【図２４】
2007098022.tif 000029
【図２５】
2007098022.tif 000030
【図２７】
2007098022.tif 000031
【図２８】
2007098022.tif 000032
【図２９】
2007098022.tif 000033
【図３０】
2007098022.tif 000034
【図３１】
2007098022.tif 000035
【図３２】
2007098022.tif 000036
【図３３】
2007098022.tif 000037
【図３４】
2007098022.tif 000038
【図３５】
2007098022.tif 000039
【図３６】
2007098022.tif 000040
【図３７】
2007098022.tif 000041
【図３８】
2007098022.tif 000042
【図３９】
2007098022.tif 000043